(57)【要約】【課題】  コネクタのコストが安価であるとともに、組立作業も簡単に行なえるピッチ変換機能を有する電気コネクタを提供する。【解決手段】  電気コネクタ１において、複数のコンタクト２０の各々が、固定部２０ａと、接触部２０ｂと、接続部２０ｃとを備え、接触部２０ｂの中心線と接続部２０ｃの中心線とはオフセットしている。複数のコンタクト２０は、同一形状をなしている。隣接するコンタクト２０の接続部２０ｃ間のピッチＰ１を同一とするように配置するとともに、任意のコンタクト２０を１８０度反転させて任意のコンタクト２０の接触部２０ｂとその任意のコンタクト２０に隣接するコンタクト２０の接触部２０ｂとの間のピッチＰ２を前記接続部２０ｃ間のピッチＰ１と異なるものとするように配置した領域を有している。【選択図】      図５
2006302510.tif 000002
【特許請求の範囲】
【請求項１】
絶縁性のハウジングと、該ハウジングに固定される複数のコンタクトとを具備し、前記複数のコンタクトの各々が、前記ハウジングに固定される固定部と、該固定部の一端から延びる相手コンタクトとの接触部と、前記固定部の他端から延びる回路基板への接続部とを備え、前記接触部の中心線と前記接続部の中心線とはオフセットしている電気コネクタであって、
前記複数のコンタクトが同一形状であって、隣接するコンタクトの接続部間のピッチを同一とするように配置するとともに、任意のコンタクトを１８０度反転させて該任意のコンタクトの接触部とその任意のコンタクトに隣接するコンタクトの接触部との間のピッチを前記接続部間のピッチと異なるものとするように配置した領域を有することを特徴とする電気コネクタ。
【請求項２】
前記任意のコンタクトとその任意のコンタクトに隣接するコンタクトとの間に、前記ハウジングに設けられた仕切壁を配置したことを特徴とする請求項１記載の電気コネクタ。
【発明の詳細な説明】
【技術分野】
【０００１】
本発明は、ピッチ変換機能を有する電気コネクタに関する。
【背景技術】
【０００２】
複数の電子部品同士を相互に接続したり、電子部品を回路基板に接続したり、回路基板同士を相互に接続したり、あるいは複数の電線に接続されたコンタクトを有する相手コネクタと回路基板とを相互に接続したりする場合において、ピッチ変換機能を有する電気コネクタを用いる場合がある。
従来、複数の電子部品同士を相互に接続する際に使用されるピッチ変換コネクタとして、例えば、図８に示すものが知られている（特許文献１参照）。図８は、従来のピッチ変換コネクタの一例の平面図である。
【０００３】
図８に示すピッチ変換コネクタ１０１は、配線基板１０２を備え、配線基板１０２の周囲に絶縁枠１０３が設けられている。配線基板１０２の一側に相当する絶縁枠１０３には、複数のコンタクト１０４が所定のピッチで並設され、配線基板１０２の前記一側と反対側に相当する絶縁枠１０３には、複数のコンタクト１０５が前記所定のピッチよりも小さなピッチで並設されている。そして、配線基板１０２には、一側のコンタクト１０４と反対側のコンタクト１０５とを接続する複数の導体ライン１１０が形成されている。そして、一側のコンタクト１０４には、第１の電子部品１０６の各外部端子１０７が挿入され、反対側のコンタクト１０５には、第２の電子部品１０８の各外部端子１０９が挿入され、第１の電子部品１０６と第２の電子部品１０８とがピッチ変換コネクタ１０１を介して接続されるようになっている。
【０００４】
このピッチ変換コネクタ１０１によれば、配線基板１０２に形成された導体ライン１１０のパターンを変更し、コンタクト１０４，１０５の配列ピッチを変更することにより、多種、多様な電子部品に適用でき、かつ、ピッチ変換の形態に応じて多くの金型（コンタクトの金型）を製作する必要がないので、コネクタのコストを低減できる、という効果を奏する。
【特許文献１】特開平６−３３３６５２号公報
【発明の開示】
【発明が解決しようとする課題】
【０００５】
しかしながら、この従来のピッチ変換コネクタにあっては、以下の問題点があった。
即ち、配線基板１１０を設けたことによって、ピッチ変換の形態に応じて多くの金型（コンタクトの金型）を製作する必要がなくなるという効果を奏するものの、ピッチ変換のために、コンタクト１０４，１０５以外の配線基板１０２を設ける必要があるので、部品点数の点で未だにコネクタのコストが高価になってしまうという問題点があった。また、絶縁枠１０３にコンタクト１０４，１０５を取り付ける以外に絶縁枠１０３内に配線基板１０２を実装する作業が必要になるので、組立作業が面倒であるという問題点もあった。
従って、本発明は上述の問題点に鑑みてなされたものであり、その目的は、コネクタのコストが安価であるとともに、組立作業も簡単に行なえるピッチ変換機能を有する電気コネクタを提供することにある。
【課題を解決するための手段】
【０００６】
上記問題を解決するため、本発明に係る電気コネクタは、絶縁性のハウジングと、該ハウジングに固定される複数のコンタクトとを具備し、前記複数のコンタクトの各々が、前記ハウジングに固定される固定部と、該固定部の一端から延びる相手コンタクトとの接触部と、前記固定部の他端から延びる回路基板への接続部とを備え、前記接触部の中心線と前記接続部の中心線とはオフセットしている電気コネクタであって、前記複数のコンタクトが同一形状であって、隣接するコンタクトの接続部間のピッチを同一とするように配置するとともに、任意のコンタクトを１８０度反転させて該任意のコンタクトの接触部とその任意のコンタクトに隣接するコンタクトの接触部との間のピッチを前記接続部間のピッチと異なるものとするように配置した領域を有することを特徴としている。
また、本発明のうち請求項２に係る電気コネクタは、請求項１記載の発明において、前記任意のコンタクトとその任意のコンタクトに隣接するコンタクトとの間に、前記ハウジングに設けられた仕切壁を配置したことを特徴としている。
【発明の効果】
【０００７】
本発明のうち請求項１に係る電気コネクタによれば、複数のコンタクトが同一形状であって、隣接するコンタクトの接続部間のピッチを同一とするように配置するとともに、任意のコンタクトを１８０度反転させて該任意のコンタクトの接触部とその任意のコンタクトに隣接するコンタクトの接触部との間のピッチを前記接続部間のピッチと異なるものとするように配置した領域を有するので、１種類のコンタクトのみを用いることによりピッチ変換を行なうことができる。このため、ピッチ変換のために、コンタクト以外に配線基板等を用いる必要はなく、コネクタのコストが安価であるとともに、組立作業も簡単に行なえるピッチ変換機能を有する電気コネクタとすることができる。また、ピッチ変換のために多種類の形状のコンタクトを用いる必要はないので、ピッチ変換の形態に応じて多くのコンタクト金型を作製する必要もない。
【０００８】
また、本発明のうち請求項２に係る電気コネクタによれば、請求項１記載の発明において、前記任意のコンタクトとその任意のコンタクトに隣接するコンタクトとの間に、前記ハウジングに設けられた仕切壁を配置したので、仕切壁を挟んでその両側にそれぞれ個別の相手コネクタを受容可能な空間を形成できる。このため、電気コネクタがコンタクトを多数設けた多極コネクタの場合であっても、倍力機構等を設けずに、それぞれ個別の相手コネクタを電気コネクタに容易に嵌合することができる。
【発明を実施するための最良の形態】
【０００９】
次に本発明の実施形態を図面を参照して説明する。図１は本発明に係る電気コネクタの正面図である。図２は図１に示す電気コネクタの平面図である。図３は図１に示す電気コネクタを一部断面した底面図である。図４は図１の４−４線に沿う断面図である。図５は図３における矢印Ａで示す部分の拡大図である。図６は図１に示す電気コネクタに相手コネクタが嵌合された状態を示す側面図である。
図１乃至図４において、電気コネクタ１は、絶縁性のハウジング１０と、このハウジング１０に固定される複数の信号用コンタクト２０及び電源用コンタクト２１と、タインプレート３０とを具備している。
【００１０】
ここで、ハウジング１０は、頂壁１１、底壁１２、１対の側壁１３，１４及び後壁１５を有する略矩形形状に形成され、絶縁性の樹脂を成形することによって形成されている。そして、ハウジング１０には、相手コネクタ５０（図６参照）を受容するための複数（本実施形態にあっては７個）の第１〜第７までの相手コネクタ受容凹部１６ａ，１６ｂ，１６ｃ，１６ｄ，１６ｅ，１６ｆ，１６ｇが設けられている。図１において、ハウジング１０の左側の側壁１３と、左側の側壁１３から所定距離を置いて頂壁１１と底壁１２との間を延びる第１仕切壁１７ａとの間に第１相手コネクタ受容凹部１６ａが画定されている。また、第１仕切壁１７ａと、第１仕切壁１７ａから所定距離を置いて頂壁１１と底壁１２との間を延びる第３仕切壁１７ｃとの間に第２相手コネクタ受容凹部１６ｂ及び第３相手コネクタ受容凹部１６ｃが画定されている。第２相手コネクタ受容凹部１６ｂ及び第３相手コネクタ受容凹部１６ｃの間には、第１仕切壁１７ａと第３仕切壁１７ｃとの間を延びる第２仕切壁１７ｂが設けられ、この第２仕切壁１７ｂの上側に第２相手コネクタ受容凹部１６ｂが配置され、第２仕切壁１７ｂの下側に第３相手コネクタ受容凹部１６ｃが配置されている。更に、第３仕切壁１７ｃと、第３仕切壁１７ｃから所定距離を置いて頂壁１１と底壁１２との間を延びる第５仕切壁１７ｅとの間に第４相手コネクタ受容凹部１６ｄ及び第５相手コネクタ受容凹部１６ｅが画定されている。第４相手コネクタ受容凹部１６ｄ及び第５相手コネクタ受容凹部１６ｅの間には、第３仕切壁１７ｃと第５仕切壁１７ｅとの間を延びる第４仕切壁１７ｄが設けられ、この第４仕切壁１７ｄの上側に第４相手コネクタ受容凹部１６ｄが配置され、第４仕切壁１７ｄの下側に第５相手コネクタ受容凹部１６ｅが配置されている。また、第５仕切壁１７ｅと、第５仕切壁１７ｅから所定距離を置いて頂壁１１と底壁１２との間を延びる第６仕切壁１７ｆとの間に空き凹部１６ｈが画定されている。そして、第６仕切壁１７ｆと、第６仕切壁１７ｆから所定距離を置いて頂壁１１と底壁１２との間を延びる第７仕切壁１７ｇとの間に第６相手コネクタ受容凹部１６ｆが画定されている。更に、第７仕切壁１７ｇと、第７仕切壁１７ｇから所定距離を置いた右側の側壁１４との間に第７相手コネクタ受容凹部１６ｇが画定されている。
【００１１】
そして、第１相手コネクタ受容凹部１６ａには、電源用コンタクト２１のみが４列状に配置されている。また、第２相手コネクタ受容凹部１６ｂには、電源用コンタクト２１が２列状に配置されるとともに、信号用コンタクト２０が３列状に配置されている。第３相手コネクタ受容凹部１６ｃにも、電源用コンタクト２１が２列状に配置されるとともに、信号用コンタクト２０が３列状に配置されている。また、第４相手コネクタ受容凹部１６ｄには、信号用コンタクト２０のみが３列状に配置されている。第５相手コネクタ受容凹部１６ｅにも、信号用コンタクト２０のみが３列状に配置されている。更に、第６相手コネクタ受容凹部１６ｆには、信号用コンタクト２０のみが６列状に配置されている。最後に、第７相手コネクタ受容凹部１６ｇには、信号用コンタクト２０が６列状に配置されるとともに、電源用コンタクト２１が４列状に配置されている。
【００１２】
ここで、各信号用コンタクト２０は、図４及び図５に示すように、ハウジング１０の後壁１５のコンタクト固定孔１５ａに圧入固定される固定部２０ａと、固定部２０ａの前端から前方に延びる接触部２０ｂと、固定部２０ａの後端から後方に延びる回路基板ＰＣＢへの接続部２０ｃとを具備している。各信号用コンタクト２０は、金属板を打ち抜き及び曲げ加工することによって形成される。各信号用コンタクト２０の接触部２０ｂは、タブ形状をなしてその信号用コンタクト２０が配置される第２〜第７相手コンタクト受容凹部１６ｂ〜１６ｇのそれぞれの内部に延び、相手コネクタ５０に設けられたメス型の相手コンタクト（図示せず）に受容されて接触するようになっている。また、各信号用コンタクト２０の接続部２０ｃは、固定部２０ａの後端から一旦後方に延びてから下方へ折り曲げられて、回路基板ＰＣＢに半田接続されるようになっている。そして、図５に示すように、各信号用コンタクト２０は、接触部２０ｂの中心線と接続部２０ｃの中心線とがオフセットするように形成されている。また、全信号用コンタクト２０は、同一の形状をなしている。
【００１３】
また、各電源用コンタクト２１も、図４及び図５に示すように、ハウジング１０の後壁１５のコンタクト固定孔１５ｂに圧入固定される固定部２１ａと、固定部２１ａの前端から前方に延びる接触部２１ｂと、固定部２１ａの後端から後方に延びる回路基板ＰＣＢへの接続部２１ｃとを具備している。各電源用コンタクト２１は、金属板を打ち抜き及び曲げ加工することによって形成される。各電源用コンタクト２１の接触部２１ｂは、信号用コンタクト２０の接触部２０ｂよりも幅広のタブ形状をなしてその電源用コンタクト２１が配置される第１、第２、第３及び第７相手コンタクト受容凹部１６ａ，１６ｂ，１６ｃ，１６ｇのそれぞれの内部に延び、相手コネクタ５０に設けられたメス型の相手コンタクト（図示せず）に受容されて接触するようになっている。また、各電源用コンタクト２１の接続部２１ｃは、固定部２１ａの後端から一旦後方に延びてから下方へ折り曲げられて、回路基板ＰＣＢに半田接続されるようになっている。そして、図５に示すように、各電源用コンタクト２１は、接触部２１ｂの中心線と接続部２１ｃの中心線とがオフセットするように形成されている。そして、全電源用コンタクト２１は、同一の形状をなしている。
【００１４】
次に、信号用コンタクト２０及び電源用コンタクト２１の配置方法について説明する。  先ず、信号用コンタクト２０の配置について説明すると、第２〜第７相手コンタクト受容凹部１６ｂ〜１６ｇに配置されるいずれの信号用コンタクト２０にあっても、隣接する信号用コンタクト２０の接続部２０ｃ間のピッチは、図５に示すように（図５には第６及び第７相手コネクタ受容凹部１６ｆ、１６ｇに配置される信号用コンタクトのみ図示）、すべてＰ１で同一となるように配置されている。そして、全ての信号用コンタクト２０のうち第２、第３、及び第６相手コネクタ受容凹部１６ｂ、１６ｃ、１６ｆに配置される信号用コンタクト２０は、図５に示すように、接触部２０ｂが接続部２０ｃに対して左側に位置するように配置され、隣接する接触部２０ｂ間のピッチもＰ１となっている。一方、第４、第５及び第７相手コネクタ受容凹部１６ｄ，１６ｅ，１６ｇに配置される信号用コンタクト２０は、図５に示すように、１８０度反転されて配置され、その１８０度反転された信号用コンタクト２０のうちの最も左側の信号用コンクト２０の接触部２０ｂとその信号用コンタクト２０に隣接する第２、第３、及び第６相手コネクタ受容凹部１６ｂ、１６ｃ、１６ｆに配置される信号用コンタクト２０のうちの最も右側の信号用コンタクト２０の接触部２０ｂとの間のピッチを接続部２０ｃ間のピッチＰ１と異なるＰ２としている。また、１８０度反転された信号用コンタクト２０の、隣接する接触部２０ｂ間のピッチはＰ１となっている。
【００１５】
そして、第４相手コネクタ受容凹部１６ｄに配置された、１８０度反転された信号用コンタクト２０のうち最も左側の信号用コンタクト２０と、第２相手コネクタ受容凹部１６ｂに配置された、前記最も左側の信号用コンタクト２０に隣接する信号用コンタクト２０との間には、第３仕切壁１７ｃが配置されている。また、第５相手コネクタ受容凹部１６ｅに配置された、１８０度反転された信号用コンタクト２０のうち最も左側の信号用コンタクト２０と、第３相手コネクタ受容凹部１６ｃに配置された、前記最も左側の信号用コンタクト２０に隣接する信号用コンタクト２０との間にも、第３仕切壁１７ｃが配置されている。更に、第７相手コネクタ受容凹部１６ｇに配置された、１８０度反転された信号用コンタクト２０のうち最も左側の信号用コンタクト２０と、第６相手コネクタ受容凹部１６ｆに配置された、前記最も左側の信号用コンタクト２０に隣接する信号用コンタクト２０との間には、図５に示すように、第７仕切壁１７ｇが配置されている。
【００１６】
また、電源用コンタクト２１の配置について説明すると、第１、第２、第３及び第７相手コンタクト受容凹部１６ａ，１６ｂ，１６ｃ，１６ｇに配置されるいずれの電源用コンタクト２１にあっても、隣接する電源用コンタクト２１の接続部２１ｃ間のピッチは、図５に示すように（図５には第７相手コネクタ受容凹部１６ｇに配置される電源用コンタクトのみ図示）、すべてＰ３で同一となるように配置されている。また、全ての電源用コンタクト２１は、図５に示すように、接触部２１ｂが接続部２１ｃに対して左側に位置するように配置され、隣接する接触部２１ｂ間のピッチもＰ３となっている。
【００１７】
そして、図１乃至図４及び図６に示すように、ハウジング１０の後壁１５には、ハウジング１０を回路基板ＰＣＢ上に取り付けるための複数（本実施形態にあっては３個）の取付部１８ａ，１８ｂ，１８ｃが設けられている。取付部１８ａは、図２に示すように、平面的に見てやや右よりのハウジング１０の後壁１５から後方に突出し、また、取付部１８ｂは、ハウジング１０の後壁１５の右端部から後方に突出し、取付部１８ｃは、ハウジング１０の後壁１５の左端部から後方に突出している。また、ハウジング１５の後壁１５の下面には、回路基板ＰＣＢ上にハウジング１０を実装するための切欠段差部１９が形成されている。切欠段差部１９は、ハウジング１０の後方及び下方に開くように形成され、その上下方向の深さは、ハウジング１０を回路基板ＰＣＢ上に実装したときに、回路基板ＰＣＢの下面がハウジング１０の底壁１２の下面と同一面となるような深さに設定されている。そして、信号用コンタクト２０の接続部２０ｃ及び電源用コンタクト２１の接続部２１ｃを整列するためのタインプレート３０がハウジング１０の底壁１２の下面よりも上方に取り付けられている。タインプレート３０をハウジング１０の底壁１２の下面よりも上方に取り付け、回路基板ＰＣＢの下面をハウジング１０の底壁１２の下面と面一とすることにより、ハウジング１０の高さを回路基板ＰＣＢの板厚分だけ低くすることができる。そして、タインプレート３０には、信号用コンタクト２０の接続部２０ｃを挿通させて整列させるための複数の整列孔３１が形成されるとともに、電源用コンタクト２１の接続部２１ｃを挿通させて整列させるための複数の整列孔３２が形成されている。また、タインプレート３０には、図２及び図３に示すように、取付部１８ａが係合する切欠３０ａ、取付部１８ｂが係合する切欠１８ｂ、取付部１８ｃが係合する切欠３０ｃが形成され、取付部１８ａ，１８ｂ，１８ｃと切欠３０ａ，３０ｂ，３０ｃとの協働により、タインプレート３０の左右方向の移動が規制されている。
【００１８】
このように構成された電気コネクタ１の第１〜第７相手コネクタ受容凹部１６ａ〜１６ｇのそれぞれには、図６に示すように、相手コネクタ５０の相手ハウジング５１が受容され、電気コネクタ１と相手コネクタ５０とが嵌合される。相手コネクタ５０の相手ハウジング５１には、電線Ｗに接続された複数の相手コンタクト（図示せず）が収容されており、電気コネクタ１と相手コネクタ５０とを嵌合すると、相手コンタクトが信号用コンタクト２０及び信号用コンタクト２１に接触し、電線Ｗと回路基板ＰＣＢとが電気的に接続されることになる。
【００１９】
このように、本実施形態にあっては、第２〜第７相手コンタクト受容凹部１６ｂ〜１６ｇに配置されるいずれの信号用コンタクト２０にあっても、隣接する信号用コンタクト２０の接続部２０ｃ間のピッチを、図５に示すように、すべてＰ１で同一となるように配置している。そして、全ての信号用コンタクト２０のうち第２、第３、及び第６相手コネクタ受容凹部１６ｂ、１６ｃ、１６ｆに配置される信号用コンタクト２０を、図５に示すように、接触部２０ｂが接続部２０ｃに対して左側に位置するように配置し、第４、第５及び第７相手コネクタ受容凹部１６ｄ，１６ｅ，１６ｇに配置される信号用コンタクト２０を、図５に示すように、１８０度反転して配置し、その１８０度反転された信号用コンタクト２０のうちの最も左側の信号用コンクト２０の接触部２０ｂとその信号用コンタクト２０に隣接する第２、第３、及び第６相手コネクタ受容凹部１６ｂ、１６ｃ、１６ｆに配置される信号用コンタクト２０のうちの最も右側の信号用コンタクト２０の接触部２０ｂとの間のピッチを接続部２０ｃ間のピッチＰ１と異なるＰ２としている。このため、１種類の信号用コンタクト２０のみを用いることによりピッチ変換を行なうことができる。よって、ピッチ変換のために、信号用コンタクト２０以外に配線基板等を用いる必要はなく、電気コネクタ１のコストが安価であるとともに、組立作業も簡単に行なえるピッチ変換機能を有する電気コネクタ１とすることができる。
【００２０】
図７に示すように、ピッチ変換を行うために、１種類のコンタクトではなく、多種類の形状の複数のコンタクト２０３ａ，２０３ｂ，２０３ｃ，２０３ｄ，２０３ｅを用意してこれらコンタクト２０３ａ，２０３ｂ，２０３ｃ，２０３ｄ，２０３ｅを絶縁性のハウジング２０２に圧入固定してピッチ変換コネクタ２０１を構成すことも、特許文献１には開示されている。図７中、符号２０４は第１の電子部品、２０５は外部端子、２０６は第２の電子部品、２０７は外部端子である。
【００２１】
このように、ピッチ変換を行うために、多種類の形状の複数のコンタクト２０３ａ，２０３ｂ，２０３ｃ，２０３ｄ，２０３ｅをハウジング２０２に圧入固定するようにすると、第１の電子部品２０４の外部端子２０５の数及び第２の電子部品２０６の外部端子２０７の数の変更に応じて、別個のコンタクト用の金型を製作する必要が生じる。本実施形態のように、１種類の信号用コンタクト２０のみを用いることによりピッチ変換を行なうことができるようにすれば、ピッチ変換のために多種類の形状のコンタクトを用いる必要はないので、ピッチ変換の形態に応じて多くのコンタクト金型を作製する必要もない。
【００２２】
また、コンタクト２０３ａ，２０３ｂ，２０３ｃ，２０３ｄ，２０３ｅをハウジング２０２に圧入固定する際には、コンタクト２０３ａ，２０３ｂ，２０３ｃ，２０３ｄ，２０３ｅの第１の電子部品２０４側あるいはその反対側からコンタクト２０３ａ〜２０３ｅを圧入する必要があるが、各コンタクト２０３ａ〜２０３ｅにおけるオフセット量が異なるので、圧入時において各コンタクト２０３ａ〜２０３ｅに生じる曲げモーメント量が異なり、各コンタクト２０３ａ，２０３ｂ，２０３ｃ，２０３ｄ，２０３ｅの圧入が適切に行えないことがある。本実施形態のように、１種類の信号用コンタクト２０のみを用いることによりピッチ変換を行なうことができるようにすれば、ピッチ変換のために多種類の形状のコンタクトを用いる必要はないので、このようなコンタクト圧入時の不都合も生じない。
なお、本発明の実施形態では、電源用コンタクト２１についてはピッチ変換は行なわれていない。
【００２３】
また、第４相手コネクタ受容凹部１６ｄに配置された、１８０度反転された信号用コンタクト２０のうち最も左側の信号用コンタクト２０と、第２相手コネクタ受容凹部１６ｂに配置された、前記最も左側の信号用コンタクト２０に隣接する信号用コンタクト２０との間には、第３仕切壁１７ｃが配置されている。また、第５相手コネクタ受容凹部１６ｅに配置された、１８０度反転された信号用コンタクト２０のうち最も左側の信号用コンタクト２０と、第３相手コネクタ受容凹部１６ｃに配置された、前記最も左側の信号用コンタクト２０に隣接する信号用コンタクト２０との間にも、第３仕切壁１７ｃが配置されている。更に、第７相手コネクタ受容凹部１６ｇに配置された、１８０度反転された信号用コンタクト２０のうち最も左側の信号用コンタクト２０と、第６相手コネクタ受容凹部１６ｆに配置された、前記最も左側の信号用コンタクト２０に隣接する信号用コンタクト２０との間には、図５に示すように、第７仕切壁１７ｇが配置されている。このため、第３仕切壁１７ｃを挟んでその両側にそれぞれ個別の相手コネクタ５０を受容可能な相手コネクタ受容凹部（空間）１６ｂ，１６ｄ、１６ｃ，１６ｅを形成できる。また、第７仕切壁１７ｇを挟んでその両側にそれぞれ個別の相手コネクタ５０を受容可能な相手コネクタ受容凹部（空間）１６ｆ，１６ｇを形成できる。このため、電気コネクタ１が信号用コンタクト２０及び電源用コンタクト２１を多数設けた多極コネクタの場合であっても、倍力機構等を設けずに、それぞれ個別の相手コネクタ５０を電気コネクタ１に容易に嵌合することができる。
【００２４】
以上、本発明の実施形態について説明してきたが、本発明はこれに限定されずに種々の変更、改良を行うことができる。
例えば、１８０度反転させるコンタクトは、第４、第５及び第７相手コネクタ受容凹部１６ｄ，１６ｅ，１６ｇに配置される信号用コンタクト２０に限られず、１８０度反転させてその反転させた信号用コンタクト２０の接触部２０ｂとその反転させた信号用コンタクト２０に隣接する信号用コンタクト２０の接触部２０ｂとの間のピッチを接続部２０ｃ間のピッチと異なるものとするものであればよい。
【００２５】
また、電源用コンタクト２１のうちの任意のコンタクトを１８０度反転させてピッチ変換を行うようにしてもよい。
更に、相手コネクタ受容凹部は、第１〜第７相手コネクタ受容凹部１６ａ〜１６ｇに限られず、適宜変更することができる。
また、第１〜第７相手コネクタ受容凹部１６ａ〜１６ｇに配置される信号用コンタクト２０及び電源用コンタクト２１の数は、適宜変更することができる。
【図面の簡単な説明】
【００２６】
【図１】本発明に係る電気コネクタの正面図である。
【図２】図１に示す電気コネクタの平面図である。
【図３】図１に示す電気コネクタを一部断面した底面図である。
【図４】図１の４−４線に沿う断面図である。
【図５】図３における矢印Ａで示す部分の拡大図である。
【図６】図１に示す電気コネクタに相手コネクタが嵌合された状態を示す側面図である。
【図７】従来のピッチ変換コネクタの他の例の平面図である。
【図８】従来のピッチ変換コネクタの一例の平面図である。
【符号の説明】
【００２７】
１  電気コネクタ
１０  ハウジング
１７ａ  第１仕切壁
１７ｂ  第２仕切壁
１７ｃ  第３仕切壁（仕切壁）
１７ｄ  第４仕切壁
１７ｅ  第５仕切壁
１７ｆ  第６仕切壁
１７ｇ  第７仕切壁（仕切壁）
２０  信号用コンタクト（コンタクト）
２０ａ  固定部
２０ｂ  接触部
２０ｃ  接続部
２１  電源用コンタクト
ＰＣＢ  回路基板
【図１】
2006302510.tif 000003
【図２】
2006302510.tif 000004
【図３】
2006302510.tif 000005
【図４】
2006302510.tif 000006
【図５】
2006302510.tif 000007
【図６】
2006302510.tif 000008
【図７】
2006302510.tif 000009
【図８】
2006302510.tif 000010